(57)【要約】      （修正有）【課題】パンスト購入検討者の地肌の色合いおよびパンスト生地の伸び具合を考慮してパンストの色を容易に確認できる薄手衣類の色見本を提供する。【解決手段】色見本１００は、第１の色を備えた第１の透明板１１０と、第２の色を備え第１の透明板と略同じ大きさの第２の透明板１２０と、第１の透明板および第２の透明板と略同じ大きさの１枚目の白板１３０および２枚目の白板１４０と、第１の透明板、１枚目の白板、第２の透明板、２枚目の白板の順に重ねられた少なくとも４枚の板の端部を保持するとともに端部を回転中心として４枚の板を回転可能に保持する保持部１５０とを含む。第１の透明板および第２の透明板は、透明板の一端から他端に向けて濃度が次第に変化している。【選択図】図１
0003222135.tif 000002
【実用新案登録請求の範囲】
【請求項１】
第１の色を備えた第１の透明板と、
第２の色を備え、前記第１の透明板と略同じ大きさの第２の透明板と、
前記第１の透明板および前記第２の透明板と略同じ大きさの白板と、
前記第１の透明板、１枚目の白板、前記第２の透明板、２枚目の白板の順に重ねられた少なくとも４枚の板の端部を保持するとともに、前記端部を回転中心として前記４枚の板を回転可能に保持する保持部とを含み、
前記第１の透明板および前記第２の透明板において、前記透明板の一端から他端に向けて濃度が次第に変化している、薄手衣類の色見本。
【考案の詳細な説明】
【技術分野】
【０００１】
本考案は、薄手衣類（上半身衣類を代表してアンダーシャツ、下半身衣類を代表してパンティストッキング）の販売に用いられる色見本に関し、特に、その薄手衣類の色を容易に確認することに加えて、購入検討者が着用した場合にその購入検討者の地肌の色合いを考慮して薄手衣類の色を容易に確認することのできる色見本であって、パンティストッキングを代表とした薄手衣類は伸びて色が薄くなることを考慮した色見本に関する。ここで、薄手衣類とは、人が着用する全ての薄手衣類であって、ショーツ、アンダーシャツ、パンティストッキング（以下においてパンストと記載する場合がある）、タイツ、靴下（膝丈程度の短いストッキングを含む）等を含み、特に試着が好ましくない下着類を含む。
【背景技術】
【０００２】
一般に、衣類は、需要促進、販売促進、購入意欲喚起等のため、新素材の利用、着用性、体形補正等の各種の機能性向上や種々の改良が行われ、それらの改良がなされた衣類を展示販売するために、衣類に適したパッケージが種々工夫されている。このようなパッケージが適用される薄手衣類の一例としてパンティストッキングがある。
パンティストッキング等の商品はそのファッション性のために、多色展開していることが多く、購入検討者が多色展開された商品群の中から要望する商品を容易に選択することができることが好ましい。
【０００３】
ところが、視覚により確認できるパンティストッキングの色は、透窓を通して何重かに折り畳まれた状態のパンティストッキングの色であったり、色見本表示用の区画(白地部分)の外面に接触した片足分の生地二重分（または両足の生地四重分）のパンティストッキングの色であったり、透明な包装袋を通したパンティストッキングの生地そのもの（一重）のパンティストッキングの色であったりする。パンティストッキング等の薄手衣類は、編地の種類（編糸および編組織）または色によっては着用者の地肌の色がパンティストッキングの生地を透過してしまうので包装状態のパッケージで確認した色と実際に着用した色とで異なる場合がある。この場合、購入決定時に想像していた色と異なることに、パンティストッキングを購入してパンティストッキングを着用して初めて気付くことになる。さらに、パンティストッキングおよび下着等の薄手衣類は試着が好ましくなく、さらに多色展開している全ての色の着用サンプルを準備することも好ましくなく、着用サンプルを準備できたとしても着用サンプルに不潔感を抱く購入検討者が存在することもあって、このような薄手衣類は商品を購入して実際に着用しないと地肌の色が反映された色を確認することができないという問題点があった。
【０００４】
本願出願人は、このような問題点に鑑みて、薄手衣類の購入検討者の地肌の色合いを考慮して薄手衣類の色を容易に確認することのできる薄手衣類の色見本を開発し、実用新案登録第３２０２７６１号公報（特許文献１）に開示されている。
この特許文献１に開示された薄手衣類の色見本は、略同じ位置に開口部をそれぞれ備えた略四辺形形状の２枚の台紙を含む、薄手衣類の色見本であって、前記薄手衣類の生地であって前記開口部よりも大きい生地により前記開口部の全体が覆われるように、前記薄手衣類の生地の周縁が前記２枚の台紙により挟持されたことを特徴とする。パンスト購入検討者は、確認したい色見本の開口部に他の色見本の台紙の外面側に残された白色無地の領域を重ねることにより、視覚によりパンストの生地そのもの（一重）の色を確認できる。次に、パンスト購入検討者は、自分の地肌（腕、足等）に色見本の開口部を重ねることにより、視覚により（パンストの生地そのもの（一重）の色ではなく）パンスト購入検討者自身の地肌にパンストの生地そのもの（一重）を重ねた色を確認できる。このように、実際にパンスト購入検討者自身の地肌に色見本の開口部を重ねるために、パンスト購入検討者の地肌の色が人により様々であってもその色のパンストをその人が着用したときの色をその人が認識することができる。
【先行技術文献】
【特許文献】
【０００５】
【特許文献１】実用新案登録第３２０２７６１号公報
【考案の概要】
【考案が解決しようとする課題】
【０００６】
薄手衣類の代表としてのパンティストッキングは需用者の多様なニーズに応えるために多色展開しており、特許文献１に開示された色見本は、薄手衣類の購入検討者の地肌の色合いを考慮して薄手衣類の色を容易に確認することのできる点で好評を得ている。
ところで、パンティストッキングを代表とした薄手衣類は着用すると伸びて色が薄くなり、その伸び具合が大きいほど色がより薄くなる。そして、伸び具合は着用部位（腹部、臀部、太腿部、脚部、足部等の部位）により異なるために、特許文献１に開示された色見本を用いたとしても、伸び具合による色の変化を考慮して着用時のパンティストッキングの色を確認することは難しいという問題点が発生し得る。
【０００７】
本考案は、従来技術の上述の問題点に鑑みて開発されたものであり、その目的とするところは、薄手衣類の購入検討者が着用した場合にその購入検討者の地肌の色合いを考慮して薄手衣類の色を容易に確認することができ、かつ、薄手衣類が伸びて色が薄くなることを考慮した、薄手衣類の色見本を提供することである。
【課題を解決するための手段】
【０００８】
上記目的を達成するため、本考案に係る、薄手衣類の色見本は以下の技術的手段を講じている。
すなわち、本考案に係る薄手衣類の色見本は、第１の色を備えた第１の透明板と、第２の色を備え、前記第１の透明板と略同じ大きさの第２の透明板と、前記第１の透明板および前記第２の透明板と略同じ大きさの白板と、前記第１の透明板、１枚目の白板、前記第２の透明板、２枚目の白板の順に重ねられた少なくとも４枚の板の端部を保持するとともに、前記端部を回転中心として前記４枚の板を回転可能に保持する保持部とを含み、前記第１の透明板および前記第２の透明板において、前記透明板の一端から他端に向けて濃度が次第に変化していることを特徴とする。
【考案の効果】
【０００９】
本考案の薄手衣類の色見本によれば、薄手衣類の購入検討者が着用した場合にその購入検討者の地肌の色合いを考慮して薄手衣類の色を容易に確認することができ、かつ、薄手衣類が伸びて色が薄くなることを考慮することができる。
【図面の簡単な説明】
【００１０】
【図１】本考案の実施の形態に係る薄手衣類の色見本１００についての（Ａ）〜（Ｃ）は平面図であって、（Ｄ）〜（Ｆ）は部品図である。
【考案を実施するための形態】
【００１１】
以下、本考案の実施の形態に係る薄手衣類の色見本１００（以下において単に色見本１００と記載する場合がある）を、図面に基づき詳しく説明する。なお、この色見本１００が好ましく適用される衣類は薄手衣類である。ここで、薄手衣類とは、上述したように、人が着用する全ての薄手衣類であって、ショーツ、アンダーシャツ、パンティストッキング、タイツ、靴下（膝丈程度の短いストッキングを含む）等を含み、特に試着が好ましくない下着類であって、以下においては、婦人用パンティストッキング（以下において単にパンストと記載する場合がある）であるとして説明する。この色見本１００が好ましく適用される衣類としては、このような婦人用パンティストッキングに限定されるものではなく、婦人用および紳士用を問わない、上述した薄手衣類である。
【００１２】
パンスト向けの色見本１００の平面図を示す図１（Ａ）〜（Ｃ）および色見本１００を構成する部品の部品図を示す図１（Ｄ）〜（Ｆ）を参照して、この色見本１００について詳しく説明する。なお、以下においては、第１の色（たとえばナチュラルベージュ）および第２の色（たとえばヌードベージュ）を確認するための色見本１００について説明するが、本考案は色数が２に限定されるものではない。
【００１３】
この色見本１００は、大略的には、第１の色（ここではナチュラルベージュ）を備えた第１の透明板１１０と、第２の色（ここではヌードベージュ）を備え、第１の透明板１１０と略同じ大きさの第２の透明板１２０と、第１の透明板１１０および第２の透明板１２０と略同じ大きさの白板１３０（下記の１枚目の白板であって第１の透明板１１０自体の色を確認するための白板）および白板１４０（下記の２枚目の白板であって第２の透明板１１０自体の色を確認するための白板）と、第１の透明板１１０、１枚目の白板１３０、第２の透明板１２０、２枚目の白板１４０の順に重ねられた少なくとも４枚の板の端部を保持するとともに、端部を回転中心として４枚の板を回転可能に保持する保持部１５０とを含む。そして、特徴的であるのは、第１の透明板１１０および第２の透明板１２０において、透明板の一端から他端に向けて濃度が次第に変化（連続的に変化）している。なお、確認する色数がＮであると、Ｎ枚の透明板およびＮ枚の白板を備える色見本となり、保持部１５０は（２×Ｎ）枚の板の端部を回転中心として（２×Ｎ）枚の板を回転可能に保持することになる（ここでのＮは自然数）。
【００１４】
さらに詳しくこの色見本１００について説明する。まず、この色見本１００を構成する部品について説明する。
図１（Ｅ）に示すように、第１の透明板１１０および第２の透明板１２０には、上述した通り第１の色（ここではナチュラルベージュ）および第２の色（ここではヌードベージュ）を備えた（着色された）透明板であって、たとえば合成樹脂（プラスチック）製の薄い板であって、おおよそ長さ１５ｃｍ、幅３ｃｍ程度の大きさを備える。そして、これらの第１の色および第２の色は、第１の透明板１１０および第２の透明板１２０において、透明板の一端から他端に向けて濃度が次第に変化している。また、保持部１５０により回転可能に保持されるための穴１１５および穴１２５を端部にそれぞれ備えている。
【００１５】
ここで、透明板の色である第１の色（ここではナチュラルベージュ）および第２の色（ここではヌードベージュ）については、パンストの生地そのもの（一重）の色に基づいて調色された色であって、濃度が最も濃い色（着用した場合にこれ以上濃くなることがない）が伸ばしていない状態のパンストの生地の色に対応させることが好ましい（ここでは図１（Ｅ）に示すように穴側において濃度が最も濃くなっている）。
【００１６】
次に、図１（Ｆ）に示すように、１枚目の白板１３０（第１の透明板１１０自体の色を確認するための白板）および２枚目の白板１４０（第２の透明板１１０自体の色を確認するための白板）は、第１の透明板１１０および第２の透明板１２０と略同じ大きさの白板であってコーティングされた薄い厚紙等であってカラー名称が印刷されている。また、保持部１５０により回転可能に保持されるための穴１３５および穴１４５を、穴１１５および穴１２５に対応する位置である端部にそれぞれ備えている。ここで、図１（Ｆ）に示すように、濃度の変化方向（ここでは生地が伸びて薄くなる方向）を矢示マークで示すことも好ましい。
【００１７】
次に、図１（Ｄ）に示すように、保持部１５０は、嵌合穴１５４を備えた円環状の保持プレート１５２と、この嵌合穴１５４に嵌合する一対の爪部１５８を備えた嵌合プレート１５６とから構成される。第１の透明板１１０、１枚目の白板１３０、第２の透明板１２０、２枚目の白板１４０の順に重ねられた少なくとも４枚の板の端部に設けられた穴１１５、穴１３５、穴１２５および穴１４５に２枚目の白板１４０側から嵌合プレート１５６の爪部１５８を挿入して第１の透明板１１０側から保持プレート１５２の嵌合穴１５４に爪部１５８を嵌合させて、少なくとも４枚の板の端部を保持するとともに、この端部を回転中心として４枚の板を回転可能に保持している。
【００１８】
このようにこの色見本１００は、保持部１５０により回転可能に保持されているために、図１（Ａ）に示す状態で第１の透明板１１０および第２の透明板１２０を白抜き矢示の方向に回転させると図１（Ｂ）に示す状態になり、図１（Ｂ）に示す状態で第１の透明板１１０（および重なっている第１の白板１３０）ならびに第２の透明板１２０（および重なっている第２の白板１４０）を白抜き矢示の方向に回転させると図１（Ｃ）に示す状態になる。
【００１９】
以上のような構成を備えた色見本１００の使用方法について、以下に説明する。
なお、パンストが多色展開（本考案においては多色展開には色のみならず多柄展開を含む）されていることに鑑みて、その多色数に対応するようにこの色見本１００を準備することが好ましいが（多色がＮ色であればＮ枚の透明板およびＮ枚の白板から構成される色見本を準備することが好ましいが）、ここでは上述した２色（ナチュラルベージュおよびヌードベージュ）をパンストの生地が伸びて色が薄くなることを考慮して確認するものとして、使用方法について説明する。
【００２０】
図１（Ａ）に示す異なる２色の色見本１００が、たとえば図１（Ｃ）に示すように準備される。この色見本１００は、パンストを展示販売する什器（展示台）の近傍に準備されることが好ましい。パンスト購入検討者は、たとえば、多数のパンストのパッケージが吊り下げられたパンストを展示販売する什器（展示台）に近寄ると、着用時においてパンストの生地が伸びて色が薄くなることを考慮してパンストの色を確認したい場合には、この色見本１００を手に取る。
【００２１】
まず、購入検討者は、色見本における色そのものを（透明板における濃度の変化を含めて）確認する。図１（Ｂ）に示すように、確認したい色の透明板（ここでは第１の透明板１１０または第２の透明板１２０であるがここを含めて以下においては単に透明板と記載する）に白板（ここでは１枚目の白板１３０または２枚目の白板１４０であるがここを含めて以下においては単に白板と記載する）を重ねる。この状態で購入検討者が色見本１００を見ると白板に重ねられた透明板を見ることになり、パンストの生地が伸びて色が薄くなることを考慮してパンスト自体の色を視覚により確認することができる。すなわち、このとき、パンスト購入検討者が視覚により認識する色は、パンストの生地そのもの（一重）であって伸び具合に応じて変化する色となる。これは上述したように透明板の色はパンストの生地そのもの（一重）の色に基づいて調色されて透明板に着色された色であるために、このように確認することができる。
【００２２】
次に、パンスト購入検討者は、色見本における色そのものではなく着用時のパンスト生地の伸び具合を考慮した濃度の変化を含めて着用時の色を確認する。図１（Ａ）に示す状態の色見本１００を手に取って、パンスト購入検討者の地肌（腕、足等）にこの色見本１００の（白板が重ねられていない）透明板を重ねる。この状態においては、重ね色確認状態となり、透明板の裏側にパンスト購入検討者の地肌が存在する。すなわち、このため、パンスト購入検討者が色見本の透明板を見て視覚により認識する色は、パンストの生地そのもの（一重）の色ではなく、パンスト購入検討者自身の地肌にパンストの生地そのもの（一重）を重ねた色となる。この場合において、実際の自身の地肌に色見本１００の透明板を重ねるために、パンスト購入検討者の地肌の色が人により様々であるが、その色のパンストをその人が着用したときの色をその人が認識することができる。
【００２３】
さらに、この透明板はその一端から他端に向けて濃度が次第に変化（連続的に変化）しているために、パンストの伸び具合が大きいほど色がより薄くなることを考慮して（着用部位の違いによる伸びの違いに起因する色の薄さの違いを考慮して）、その色のパンストをその人が着用したときの色の生地の伸びによる変化を含めてその人が認識することができる。
【００２４】
以上のようにして、本実施の形態に係る色見本１００によると、薄手衣類の一例であるパンティストッキングの購入検討者が着用した場合にその購入検討者の地肌の色合いを考慮して薄手衣類の色を容易に確認することができ、かつ、パンティストッキングが伸びて色が薄くなることを考慮することができる。  なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２５】
本考案は、商品である薄手衣類の色見本として好適であり、その薄手衣類の購入検討者が着用した場合にその購入検討者の地肌の色合いを考慮して薄手衣類の色を容易に確認できる点で特に好適である。
【符号の説明】
【００２６】
１００  色見本
１１０  第１の透明板
１２０  第２の透明板
１３０  （１枚目の）白板
１４０  （２枚目の）白板
１５０  保持部
【図１】
0003222135.tif 000003